(57)【特許請求の範囲】
【請求項１】
単葉のキャリアシートと基体シートと感圧性接着剤層とが順次積層されてなる粘着シートの感圧性接着剤層面に剥離シートを設けてなり、前記剥離シートが二分割以上の剥離シートからなり、該二分割以上の剥離シートの少なくとも１つの剥離シートと前記キャリアシートとが接合され、この接合により剥離シートを剥がす際に、キャリアシートも同時に一連の作業で剥がすことができる構造を有していることを特徴とする貼着体。
【請求項２】
前記キャリアシートと剥離シートが、接合用接着シートで接合されていることを特徴とする請求項１記載の貼着体。
【請求項３】
前記剥離シートに対し粘着シートを突出させた突出部を設け、該剥離シートの端部位置に合わせて感圧性接着剤層と基体シートを切断するスリットを設けるとともに上記突出部を該剥離シート側に折り返し、折り返し部の感圧性接着剤層を剥離シートの感圧性接着剤層との貼着面の反対側の面に接着させたことを特徴とする請求項１記載の貼着体。
【請求項４】
前記キャリアシートと剥離シートがともに前記基体シートと感圧性接着剤層に対し突出した突出部を有し、該キャリアシートの突出部と剥離シートの突出部とを接着させてなることを特徴とする請求項１記載の貼着体。
【請求項５】
前記剥離シートが、折り返し部を有することを特徴とする請求項１〜４のいずれかに記載の貼着体。
【請求項６】
前記感圧性接着剤層と剥離シートとの間にパッドが設けられていることを特徴とする請求項１〜５のいずれかに記載の貼着体。
【請求項７】
前記粘着シートを構成する各層がいずれも透視性であることを特徴とする請求項１〜６のいずれかに記載の貼着体。
【発明の詳細な説明】
【０００１】
【発明の属する技術分野】
本発明は貼着体に関し、さらに詳しくは、大型防水絆創膏などとして、創傷の被覆などに好適に使用され、貼付け時における作業の単純化を図ることができる貼着体に関するものである。
【０００２】
【従来の技術】
従来、サージカルドレッシング、傷口被覆シート、カテーテル固定シート、薬剤経皮投与シート、その他皮膚表面に貼付して使用する医療用貼付材としては、一般に薄くて柔軟性に富むシート状フィルム材料からなる基体シートの一方の面に感圧性接着剤層及び剥離シートが順次積層され、かつ該基体シートの他方の面にキャリアシートが仮着されたものが用いられている。そして貼付ける場合は、まず剥離シートを剥がして貼付けたのち、キャリアシートを剥がすことが行われている。
前記医療用貼付材において、基体シートに薄くて柔軟性に富むシート状フィルム材料を用いるのは、皮膚面には凹凸があり、伸縮や屈曲が反復して起こるため、基体シートが柔軟性に欠けていると皮膚表面になじまず、すぐに剥がれてしまうからである。
【０００３】
また、前記基体シート上にキャリアシートを仮着させるのは、前記のような薄くて柔軟性に富んでいるフィルム材料からなる基体シートのみでは、全体に腰がなく、容易に折曲ったり、しわになったりするので、上手に貼付けることが極めてむずかしいことから、基体シートよりも腰のあるキャリアシートで補強し、貼付けを容易に行うためである。
このような構成の剥離シート付の粘着シートにおいては、剥離シートは、剥離しやすいように、通常二分割されており、貼付ける場合は、この二分割された剥離シートの一方を剥がして皮膚表面に貼付し、次いで残りの剥離シートを剥がしながら全体を貼付けたのち、最後にキャリアシートを剥がすという煩雑な作業が行われる。
また、このような粘着シートにおいては、従来、キャリアシートの剥離を容易にするためにスリットを入れたり、耳部を設けるなどという方法は提起されているが、いずれも貼付け作業の単純化という面では未だ十分ではなかった。
【０００４】
【発明が解決しようとする課題】
本発明は、このような状況下で、大型絆創膏などとして、創傷の被覆などに好適に使用され、貼付け時における作業の単純化を図ることができる貼着体を提供することを目的とするものである。
【０００５】
【課題を解決するための手段】
本発明者らは、貼付け作業の単純化を図ることのできる貼着体について鋭意研究を重ねた結果、キャリアシートと剥離シートとを直接的又は間接的に接合することにより、剥離シートを剥がす作業において、キャリアシートも同時に剥がすことができ、その目的を達成し得ることを見出した。本発明は、かかる知見に基づいて完成したものである。
【０００６】
すなわち、本発明は、
（１）単葉のキャリアシートと基体シートと感圧性接着剤層とが順次積層されてなる粘着シートの感圧性接着剤層面に剥離シートを設けてなり、前記剥離シートが二分割以上の剥離シートからなり、該二分割以上の剥離シートの少なくとも１つの剥離シートと前記キャリアシートとが接合され、この接合により剥離シートを剥がす際に、キャリアシートも同時に一連の作業で剥がすことができる構造を有していることを特徴とする貼着体、
（２）前記キャリアシートと剥離シートが、接合用接着シートで接合されていることを特徴とする上記（１）記載の貼着体、
（３）前記剥離シートに対し粘着シートを突出させた突出部を設け、該剥離シートの端部位置に合わせて感圧性接着剤層と基体シートを切断するスリットを設けるとともに上記突出部を該剥離シート側に折り返し、折り返し部の感圧性接着剤層を剥離シートの感圧性接着剤層との貼着面の反対側の面に接着させたことを特徴とする上記（１）記載の貼着体、
【０００７】
（４）前記キャリアシートと剥離シートがともに前記基体シートと感圧性接着剤層に対し突出した突出部を有し、該キャリアシートの突出部と剥離シートの突出部とを接着させてなることを特徴とする上記（１）記載の貼着体、
（５）前記剥離シートが、折り返し部を有することを特徴とする上記（１）〜（４）のいずれかに記載の貼着体、
（６）前記感圧性接着剤層と剥離シートとの間にパッドが設けられていることを特徴とする上記（１）〜（５）のいずれかに記載の貼着体、及び
（７）前記粘着シートを構成する各層がいずれも透視性であることを特徴とする上記（１）〜（６）のいずれかに記載の貼着体、
を提供するものである。
【０００８】
【発明の実施の形態】
本発明の貼着体は、基体シートの一方の面に、感圧性接着剤層が積層され、かつ前記基体シートの他方の面にキャリアシートが積層、仮着された粘着シートに剥離シートを設けた構造を有するものである。
前記基体シートとしては、柔軟性と伸縮性を有し、貼付される皮膚面によく追随して密着することができ、かつ適度の引張り強さを有するものであればよく、特に制限されず、様々なシートを用いることができる。具体的には、ポリエチレン、ポリプロピレン、エチレン・プロピレン共重合体樹脂等のポリオレフィン系シート、ポリウレタン系シート、ポリエステル系シート、ポリ塩化ビニル系シート、ポリアミド系シート、ポリ塩化ビニリデン系シート、エチレン−酢酸ビニル共重合体シート、ポリエーテルーブロックーポリアミド系シートなどが挙げられるが、これらの中で、柔軟性や透湿性に優れるポリウレタン系シート及びポリエステル系シートが好適である。この基体シートの厚さは、通常１０〜８０μｍ、好ましくは１０〜４０μｍの範囲で選定される。
【０００９】
この基体シートには、種々の色や柄などを付与することができるが、無色で透視性を有する基体シートが好ましい。このような基体シートを用いることにより、貼付けた際に、パッドあるいは患部を透視することができる。また、後述のキャリアシート及び感圧性接着剤層も無色で透視性のものにすれば、貼付け作業の際、患部あるいはパッドが透視できるので位置決めが容易となり一層好ましい。なお、有色の透視性とすることもできる。
【００１０】
前記基体シートの一方の面に設けられる感圧性接着剤層を構成する感圧性接着剤としては、従来医療用貼付材における感圧性接着剤として慣用されているものの中から、任意のものを適宜選択して用いることができる。このような感圧性接着剤の例としては、アクリル系、ゴム系、シリコーン系、ビニルエーテル系、ポリウレタン系などの感圧性接着剤が挙げられるが、これらの中で皮膚に対する刺激が少ないなどの点から、アクリル系の感圧性接着剤が好適である。この感圧性接着剤層の厚さは、通常１０〜５０μｍ程度である。なお、当該感圧性接着剤層には、経皮吸収性の薬剤を混入させたり、塗布したりして担持させることができる。
【００１１】
本発明の貼着体においては、前記感圧性接着剤層及び所望により設けられるパッド上に剥離シートが設けられている。この剥離シートは、例えばグラシン紙、コート紙、ポリエチレンラミネート紙などの紙及び各種プラスチックシートに、シリコーン樹脂などの剥離剤を塗付したシートからなるものであって、その厚さについては特に制限はないが、通常３０〜１５０μｍ程度である。
【００１２】
前記剥離シートの積層形態としては、剥離しやすい形態であればよく、特に制限されず、様々な形態をとることができるが、本発明の貼着体における剥離シートは、二分割以上に分割された形態で積層されている。また、貼着体から剥離シートを剥がすことを容易にするため、剥離シートを二分割するスリットを設けてもよいが、指が貼着体の感圧性接着剤層に触れる恐れのないよう二分割以上された剥離シートの少なくとも１つに折り返し部を設けることがより好ましい。
本発明の貼着体において、前記基体シートの感圧性接着剤層とは反対側の面に積層されるキャリアシートは、基体シートよりも腰のあるシートで構成されたものであればよく、特に制限されず、例えばポリエチレンやポリプロピレン、エチレン・プロピレン共重合体樹脂等のポリオレフィン系シート、ポリエステル系シート、ポリアミド系シート、ポリイミド系シートなどを挙げることができる。キャリアシートと基体シートとを積層するには、例えば該キャリアシート上に基体シート用の樹脂を加熱溶融状態でコートするか、あるいは有機溶剤を用いて溶解状態でのキャスティングコートをすればよい。
当該キャリアシートの厚さは、通常１０〜１５０μｍ程度である。
【００１３】
本発明の貼着体においては、所望により、前記感圧性接着剤層の表面にパッドを設けることができる。このパッドは、患部を被覆するためのものであって、その形状、大きさは患部等を効率的に被覆しうるものであれば特に限定されない。上記パッドは、例えば不織布、圧縮綿、ガーゼ、その他当て材から構成されており、傷口などの患部に当接して、創傷その他の治療に効果的に使用することができる。当該パッドの厚さは、通常０．１〜１ｍｍの範囲である。なお、このパッドには、必要に応じ、薬効を付与することができる。
【００１４】
本発明の貼着体の特徴は、前記キャリアシートの一部と二分割以上に分割された剥離シートの少なくとも１つの剥離シートの一部とが接合され、この接合により剥離シートを剥がす際に、キャリアシートも同時に一連の作業で剥がすことができる構造を有していることにある。これにより、従来の貼付け作業において、最後にキャリアシートをあらためて剥がす作業が省かれ、作業の単純化を図ることができる。
【００１５】
本発明の貼着体においては、前記のキャリアシートの一部と剥離シートの一部とが接合された構造として、（１）接合用接着シートでキャリアシートと剥離シートが接合された構造、（２）粘着シートの突出部を折り返してキャリアシートと剥離シートが接合された構造、及び（３）キャリアシートと剥離シートの突出部で接合された構造の３つの態様を挙げることができる。
【００１６】
以下に、上記各態様について、添付図面に従って説明する。
（１）接合用接着シートでキャリアシートと剥離シートが接合された構造の貼着体１０
図１は、本発明の貼着体における第１の態様の一例を示す模式断面図（ａ）と模式平面図（ｂ）であって、この貼着体１０においては、基体シート１の一方の面に感圧性接着剤層２と二分割された剥離シート４ａと折り返し部５を有する剥離シート４ｂが順次積層されているとともに、基体シート１の他方の面にキャリアシート３が設けられている。前記剥離シート４ａは感圧性接着剤層２のほぼ全体と剥離シート４ｂの折り返し部５を被覆するように付着され、剥離シート４ｂは折り返し部５を形成する折り線が感圧性接着剤層２の端縁にほぼ平行かつ前記感圧性接着剤層の端縁から内側に位置するように感圧性接着剤層２の残部に付着されている。なお、模式断面図において、剥離シート４ａ及び剥離シート４ｂの折り返し部５を浮かせているが、実際は平坦に近い状態である。そして前記剥離シート４ｂとキャリアシート３とが接合用接着シート６で接合された構造を有しているため、該剥離シート４ｂを剥がす際に、上記接合用接着シートを介してキャリアシート３も同時に一連の作業で剥がすことができる。なお、模式平面図（ｂ）の実線は接合用接着シート６のキャリアシート３上の端縁部６−１を示し、点線は剥離シート４ｂの折り線４ｂ−１と折り返し部５の端縁部４ｂ−２を示す。なお、前記接合用接着シート６の基材としてはキャリアシート３と同様のプラスチックや紙等が挙げられる。また、接合用接着シートの粘着剤としては、感圧性接着剤層２で用いられた感圧性接着剤と同様のものが挙げられる。
【００１７】
（２）粘着シートの突出部を折り返してキャリアシートと剥離シートが接合された構造の貼着体２０
図２は、本発明の貼着体における第２の態様の一例を示す模式断面図（ａ）、模式平面図（ｂ）であって、この貼着体２０においては、本体部の構成は、前記図１と同様であるが、当該粘着シートにおける感圧性接着剤層２、基体シート１及びキャリアシート３の一方の端部に剥離シートに対して突出した突出部８を設け、その突出部が一体的に折り返され、その感圧性接着剤層２が剥離シート４ｂの剥離処理面の反対側の面の端部に接着され、剥離シート４ｂとキャリアシート３とが接合された構造を有している。そして、前記突出部８を折り返す前に剥離シート４ｂの端部位置に合わせて剥離シート側から基体シート１と感圧性接着剤層２を切断してなるスリット７が設けられている。したがって、剥離シート片４ｂを剥がす際に、突出部の基体シートと感圧性接着剤層と更にキャリアシート３全体を同時に一連の作業で剥がすことができる。なお、図２の模式平面図（ｂ）の点線８ー１は、粘着シートの突出部８の折り返し部の端縁部を示す。なお、前記突出部８を設ける方法としては、図２（ｃ）に示すように、通常、剥離シート４ｂが設けられた貼着体２０の剥離シート４ｂ側から剥離シート４ｂ、感圧性接着剤層２と基材シート１まで切断する前記スリット７を設けた後、剥離シート４ｂのスリット７から図の右側の剥離シート除去部４ｂ−３を取り除く方法が挙げられる。
【００１８】
（３）キャリアシートと剥離シートが突出部で直接接合された構造の貼着体３０
図３は、本発明の貼着体における第３の態様の一例を示す模式断面図（ａ）と模式平面図（ｂ）であって、この貼着体３０においては、本体部の構成は、前記図１と同様であるが、キャリアシート３の一方の端部及び剥離シート４ｂの一方の端部にそれぞれ突出部３ｃ、４ｃを設け、それらを適当な接着剤により接合した構造を有している。なお、この場合、剥離シート４ｂの突出部４ｃは剥離処理面を内側にして折り返し、剥離処理した面の反対面とキャリアシート３の突出部３ｃを接合した方が接着力を高くするうえで好ましい。このような構造により、剥離シート４ｂを剥がす際に、キャリアシート３も同時に一連の作業で剥がすことができる。なお、前記突出部を接着するためには、前記感圧性接着剤層２と同様の感圧性接着剤だけでなく公知の感熱性接着剤が使用できる。
以上の態様はいずれもパッドを有さない貼着体に関するものであるが、上記（１）〜（３）の各々の構造において、更にパッドを有し剥離シート４ａでパッドを被覆する構造のものも本発明においては好ましく用いられる。
【００１９】
本発明の貼着体は、通常方形状であり、そのサイズについては特に制限はないが、大型の貼着体に適用するのが効果の面から好ましく、したがって、サイズとしては、通常横の長さ４０〜１５０ｍｍ、縦の長さ２５〜１５０ｍｍ程度である。また、貼着体の４つの角や突出部３ｃ、４ｃの角を丸くしたものを作製する場合は、打ち抜き刃でカットすることにより容易に得られる。
次に、本発明の貼着体の使用方法を、図１に基づいて説明する。
まず、粘着シートの感圧性接着剤層２上に積層されている剥離シート４ａの剥離シート４ｂの折り返し部５を被覆した部分を摘んでもう一方の端部まで剥離した後、位置決めを行う。この場合、該粘着シートにおける基体シート１、キャリアシート３及び感圧性接着剤層２として、共に透視性のものを用いることにより患部などの被覆部が透視できるため、容易に位置決めを行うことができる。次に、被覆部に当接するように皮膚表面に貼付け、剥離シート４ａを完全に剥がし、次いで剥離シート４ｂの折り返し部５を摘んで引剥がしながら、全体を貼付ける。この際、剥離シート４ａ及び剥離シート４ｂが剥がされた基体シート１にはキャリアシート３がまだ仮着されているので、柔軟性に富んだ基体シート１にしわが発生することなく、適度の腰のある状態で、確実に皮膚面に貼付けることができる。次に、剥離シート４ｂを完全に剥がすと共に、キャリアシート３を同時に一連の作業で剥がす。
このように、剥離シート４ｂを剥がす作業で、キャリアシート３も同時に剥がすことができるので、作業の単純化を図ることができる。
【００２０】
【実施例】
次に、本発明を実施例により、さらに詳細に説明するが、本発明は、これらの例によってなんら限定されるものではない。
実施例１
接合用接着シートでキャリアシートと剥離シートが接合された構造の貼着体１０を作製した。
基体シート１として厚さ２５μｍの透明なポリウレタンシートを、キャリアシートとして厚さ６０μｍの透明なポリエチレンシートに積層した製品（商品名：シルクロン、大倉工業株式会社製、横８０ｍｍ×縦６０ｍｍ、なお、以後、シートの寸法を示す数値は横の長さ×縦の長さを示す）のポリウレタンシート側の面にアクリル系感圧性接着剤（商品名：ＰＡ−Ｔ１、リンテック株式会社製）を乾燥後の厚さが３２μｍとなるよう塗布、乾燥し、感圧性接着剤層２を設けた。次いで、剥離シート４として、ポリエチレンラミネート紙にシリコーン樹脂の剥離剤を塗布した白色の剥離シート（商品名：ＫＰー８（シロ）、リンテック株式会社製）４ａ（６０ｍｍ×６０ｍｍ）及び４ｂ（４０ｍｍ×６０ｍｍで１０ｍｍ×６０ｍｍの折り返し部５を有する）を用意し、図１に示す構造を有する８０ｍｍ×６０ｍｍサイズの剥離シートを設けた方形状貼着体１０を作製した。接合用粘着性シート６としては、厚さ１６μｍのポリエチレンテレフタレートフィルム（商品名：ルミラー、東レ株式会社製、２０ｍｍ×６０ｍｍ）に前記アクリル系感圧性接着剤を乾燥後の厚さが２０μｍとなるように塗布した粘着テープを２つ折りし、キャリアシートと剥離シート４ｂにそれぞれ１０ｍｍ×６０ｍｍ貼着して接合した。
【００２１】
実施例２
粘着シートの突出部を折り返してキャリアシートと剥離シートが接合された構成で、感圧性接着剤層２と剥離シート４ａの間にパッドを設けた粘着体２０を作製した（図２、但しパッドは不図示）。すなわち、基体シートとキャリアシートを積層した製品の寸法が９０ｍｍ×６０ｍｍ、剥離シート４ｂの寸法が５０ｍｍ×６０ｍｍ（１０ｍｍ×６０ｍｍの折り返し部５を有する）であり、感圧性接着剤層２上の中央部付近に４０ｍｍ×３０ｍｍの大きさで厚さ0.６ｍｍの不織布（商品名：ＲＫ２０１−１０６、呉羽テック株式会社製）からなるパッドを貼り付けたこと以外は実施例１と同様にして９０ｍｍ×６０ｍｍサイズの剥離シートを設けたパッドを有する貼着体２０を作製した。
次に、図２（ｃ）において剥離シート４ｂの図の右側の端部から１０ｍｍのところに、剥離シート４ｂ側から、剥離シート４ｂ、感圧性接着剤層２及び基体シート１としてのポリウレタンシートまでスリット７を設けた後、剥離シート４ｂのスリット７から図の右側の剥離シート除去部４ｂ−３（１０ｍｍ×６０ｍｍ）を取り除き、粘着シートの突出部８を作製した。さらに、この突出部８を折り返し、突出部８の感圧性接着剤層２を剥離シート４ｂの剥離剤を塗布した面の反対側の面に貼着した。
【００２２】
実施例３
キャリアシートと剥離シートが突出部で直接接合された構造の貼着体３０を作製した（図３）。なお、キャリアシート３の突出部３ｃを設ける方法を図４に示した。図４（ａ）に示すように、先ず、実施例１で使用したと同様の基体シート１とキャリアシート３が積層した製品（９０ｍｍ×６０ｍｍ）と、別途剥離シート４（９０ｍｍ×６０ｍｍ）の剥離処理面に実施例１と同様の感圧性接着剤層２を設けたものを用意した後、基体シート１と感圧性接着剤層２を貼着した。
次に、図４（ｂ）に示したように、剥離シート４の図の右側の端部から１０ｍｍの位置に剥離シート側から基体シート１までスリット７を設けた後、キャリアシート３を残し、スリット７から図の右側の端部の剥離シート４と感圧性接着剤層２と基体シート１（各１０ｍｍ×６０ｍｍ）を除去して、図４（ｃ）に示すようにキャリアシート３に突出部３ｃ（１０ｍｍ×６０ｍｍ）を設けた。
続いて、別に剥離シート４ａ（６０ｍｍ×６０ｍｍ）と剥離シート４ｂ（６０ｍｍ×６０ｍｍで１０ｍｍ×６０ｍｍの折り返し部５を有する）を用意し、実施例１と同様にして前記感圧性接着剤層に貼着した。
実施例１に比べ、剥離シート４ｂは２０ｍｍ×６０ｍｍ寸法が大きいが、この部分は剥離シート４ｂの突出部４ｃである。突出部４ｃを剥離処理面を内側にして半分に折り返し、キャリアシートと突出部４ｃの剥離処理していない面とをエチレン・酢酸ビニル共重合体系感熱性接着剤（商品名：ディックメルト、大日本インキ化学工業株式会社製）を用い接合した。なお、ここで用いた剥離シートは全て実施例１で使用したものと同じ剥離シート材料を用いた。
【００２３】
比較例１
実施例１と同様の材料を用い、従来一般に使用されている図５に示すキャリアシートにスリットを設けた構造を有する８０ｍｍ×６０ｍｍサイズの剥離シートを設けた貼着体を作製した。すなわち、接合用接着シートを用いず、キャリアシート３の中央部にスリット７を設けたこと以外は実施例１と同様にして剥離シートを設けた貼着体を作製した。
次に、実施例１〜３及び比較例１で作製した貼着体の貼付けをパネラーに依頼し、下記の基準で評価した。結果を第１表に示す。
（１）キャリアシートの剥がしやすさ
○：  剥離シートを剥がす作業と一連でキャリアシートを剥がすことができる
×：  剥離シートを剥がす作業とは別にキャリアシートを剥がす煩雑な作業が必要
（２）貼りやすさ
○：  基体シートにシワが入らず、短時間で貼付けができる
△：  基体シートにシワが入らないが、貼付けに時間がかかる
×：  基体シートにシワが入らないように貼付けすることは困難
（３）貼付けの位置決め
○：  貼付けの位置決めが容易
×：  貼付けの位置決めが困難
【００２４】
【表１】
0003970639.tif 000002
【００２５】
【発明の効果】
本発明の貼着体は、キャリアシートの一部と剥離シートの一部とが、接合されているため、剥離シートを剥がす際に、キャリアシートも同時に剥がすことができるので貼付作業の単純化を図ることができる。本発明の貼着体は、特に大型絆創膏などとして、創傷の被覆などに好適に使用される。
【図面の簡単な説明】
【図１】本発明の貼着体における第１の態様の一例の模式断面図（ａ）及び模式平面図（ｂ）である。
【図２】本発明の貼着体における第２の態様の一例の模式断面図（ａ）及び模式平面図（ｂ）である。
【図３】本発明の貼着体における第３の態様の一例の模式断面図（ａ）及び模式平面図（ｂ）である。
【図４】図３に示す貼着体において、キャリアシートに突出部を設ける方法を示す模式断面図である。
【図５】従来の貼着体の一例の模式断面図（ａ）及び模式平面図（ｂ）である。
【符号の説明】
１  基体シート
２  感圧性接着剤層
３  キャリアシート
３ｃ  キャリアシート３の突出部
４、４ａ，４ｂ  剥離シート
４ｂ−１  剥離シート４ｂの折り線
４ｂ−２  折り返し部５の端縁部
４ｂ−３  剥離シート４ｂの除去部
４ｃ  剥離シート４ｂの突出部
５  折り返し部
６  接合用接着シート
６−１  接合用接着シートの端縁部
７  スリット
８  粘着シートの突出部
８−１  粘着シートの突出部８の折り返し部の端縁部
１０、２０、３０  貼着体
【図１】
0003970639.tif 000003
【図２】
0003970639.tif 000004
【図３】
0003970639.tif 000005
【図４】
0003970639.tif 000006
【図５】
0003970639.tif 000007